(57)【要約】【課題】原子炉圧力容器定検等で上蓋の開放・閉鎖時に、安全かつ容易に作業でき、炉内構造物搬出入時のスタッドボルトとの干渉を防ぎねじ部を保護する。【解決手段】スタッドボルトねじ保護具７は、原子炉圧力容器の上蓋を脱着する際、ナットを外した状態でスタッドボルトにかぶせる円筒状の保護具であって、スタッドボルトの伸び測定用穴３ｅに、ねじ保護具７の天井蓋７ａの外面からプラグ７ｅで取り付ける構造としたので、上蓋を開く前に予めスタッドボルト３にプラグ７ｅを取り付けできる。また、従来のように、保護具円筒内面にねじを形成してスタッドボルト外周のねじに噛み合わせる方式ではないので、スタッドボルト外周ねじを傷つけることもない。【選択図】　　　　図１
2004045130.tif 000002
【特許請求の範囲】
【請求項１】
原子炉圧力容器胴体上部の外周フランジに、該原子炉圧力容器上蓋の外周フランジを固定するために、鉛直に設置される複数のスタッドボルトのうち、前記上蓋の取り外し時に、いくつかのスタッドボルトにかぶせられ、該スタッドボルトの外周を覆う円筒と該スタッドボルトの頂部を覆う天井蓋とからなるキャップ状の保護具で、該スタッドボルト軸心に上端から下方に向けて形成されたスタッドボルトの伸び測定用穴を利用して、前記天井蓋の外面よりプラグを装着して固定することを特徴とするスタッドボルトねじ保護具。
【請求項２】
請求項１に記載のスタッドボルトねじ保護具において、前記プラグは、前記上蓋を取り外す前に前記スタッドボルトに予め装着されることを特徴とするスタッドボルトねじ保護具。
【請求項３】
請求項１〜２のうちいずれか１項に記載のスタッドボルトねじ保護具において、前記プラグは、前記天井蓋上に有する取っ手にワイヤで取り付けられていることを特徴とするスタッドボルトねじ保護具。
【請求項４】
原子炉圧力容器胴体上部の外周フランジに、該原子炉圧力容器上蓋の外周フランジを固定するために、鉛直に設置される複数のスタッドボルトのうち、前記上蓋の取り外し時に、いくつかのスタッドボルトにかぶせられ、該スタッドボルトの外周を覆う円筒と、該円筒の上部を構成する円錐状ピンと、該円筒と該円錐状ピンを接続する接続板とからなるキャップ状のピンで、該スタッドボルト軸心に上端から下方に向けて形成されたスタッドボルトの伸び測定用穴を利用して、前記接続板の上面より接続ボルトを装着して固定することを特徴とするガイドピン。
【請求項５】
請求項４に記載のガイドピンにおいて、前記接続ボルトは、前記上蓋を取り外す前に前記スタッドボルトに予め装着されることを特徴とするガイドピン。
【請求項６】
請求項４〜５のうちいずれか１項に記載のガイドピンにおいて、前記接続ボルトは上端部に吊り下げ用のフックを有し、前記円錐状ピンの頂部の上から装着されることを特徴とするガイドピン。
【請求項７】
請求項４〜５のうちいずれか１項に記載のガイドピンにおいて、前記接続ボルトは、前記円錐状ピンの側面部に形成された開口部を介して前記接続板の上面でボルト頭部を固定され、該円錐状ピンの頂部に吊り下げ用のフックを有することを特徴とするガイドピン。
【発明の詳細な説明】
【発明の属する技術分野】
本発明は、スタッドボルトねじ保護具およびガイドピンに係り、特に原子炉圧力容器の上蓋の開放・閉鎖作業および定期検査中の炉内構造物搬出入の際に、圧力容器胴体側に取り付けたままのスタッドボルトを保護し、かつ作業の安全性、作業時間の短縮を図るのに好適な技術に関する。
【従来の技術】
一般に沸騰水型原子炉の原子炉圧力容器は、上蓋と胴体をそれぞれのフランジ部を介して、スタッドボルトおよびナットにより接続し、圧力容器全体を密閉する構造となっている。
スタッドボルトは、その下部外周のねじを、胴体フランジに設けたねじ穴と結合して胴体フランジ上面より突き出し、下部のねじ部より一回り小さいシャンク部が上蓋フランジに形成した貫通穴を貫通して、スタッドボルト上部のねじ部にワッシャおよびナットを取り付け、その締め付け力により上蓋と胴体を結合している。
ところで、発電用原子炉は、年に１回の定期検査が法令で義務付けられている。この定期検査期間中に上蓋を取外す開放作業、炉内の点検および上蓋を取り付ける閉鎖作業が行われる。この場合、上蓋の開放作業は、スタッドボルトに締め付けられたナットを緩め、ナットおよびワッシャの取外し、ＩＳＩ（Ｉｎ　Ｓｅｒｖｉｃｅ　Ｉｎｓｐｅｃｔｉｏｎ）等を行うためのスタッドボルト取り外しおよび上蓋の取外しの手順で作業が行われる。
上蓋の取外し時には、２〜３本のスタッドボルトには上蓋の位置決めのためのガイドピンが取り付けられ、その他のスタッドボルトには、スタッドボルト上部のねじ部の保護のために、スタッドボルトねじ保護具が取り付けられる。
従来のスタッドボルトねじ保護具は、スタッドボルト上部をすっぽり覆う天井蓋付きの円筒から構成され、スタッドボルトにかぶせるだけのため、上蓋取り外し時に何らかの外力が加わると、上蓋と一緒に吊り上げられて外れてしまう可能性があった。（例えば、特開２００１−２１６７７号公報参照）
また、定期検査作業では上蓋取り外し後は、スタッドボルトにかぶせたガイドピンおよびねじ保護具を取り外し、定期検査期間中にスタッドボルトの伸びを測定するためにスタッドボルト軸心に上端面から形成された伸び測定用穴に、異物が侵入しないように、頂部中央にプラグが取り付けられる。したがって、定期検査中は、ねじ保護具が装着されていない状態であり、炉内の点検のため、炉内構造物を炉内から搬出入する際、スタッドボルトと干渉し、ねじ部を傷つける恐れがある。
閉鎖作業は開放作業と逆の手順で実施されるが、上蓋取り付け前に、スタッドボルトの伸び測定用穴に装着したプラグを外し、ねじ保護具およびガイドピンをスタッドボルトに取り付ける。この作業は上蓋開放状態で行われるため、原子炉圧力容器内へ部品等を落下させる危険性がある。
また、ガイドピンはねじ保護具と同様に、スタッドボルトの上部ねじを覆い、上部が円錐形状であるピンと薄肉の円筒から構成されており、従来のガイドピンは、円筒内面にスタッドボルトの上部ねじとかみあうためのねじを設けている。ピンと円筒は溶接で接続されており、ガイドピンをスタッドボルトにねじこませて固定させる。
従来の固定方法は、ピンにハンドルを差し込み、ハンドルを回転させることによってガイドピンをスタッドボルトにねじ込む。ガイドピンをスタッドボルトに設置後、ハンドルは取り除かれる。また、ガイドピンの高さは各々異なり、上蓋の閉鎖作業時に上蓋の位置決めを行いやすいようにしている。
【発明が解決しようとする課題】
上記のように、原子炉圧力容器の上蓋取り外し状態でのプラグ保護具等の着脱作業は、炉内への異物混入防止のため、作業者は落下防止処置を行うとともに、細心の注意を払って慎重に作業を行う必要があり、作業効率が悪いという問題がある。また、定期検査中に炉内構造物を搬出入する際は、スタッドボルトにねじ保護具がついてないため、ねじ部を傷つけてしまう可能性もある。
また、ガイドピンをスタッドボルトに固定するために、ガイドピンの円筒部内面には、スタッドボルトの上部ねじと取合うためにねじを設けているが、このねじはＪＩＳ等の規格ねじではなく、特殊な寸法のねじであり、かつ薄肉円筒状の筒の内面にねじを加工する必要があるため難しい加工作業となり、加工業者が限定されるという問題がある。
また、ガイドピンはスタッドボルトのねじと取合うため、ガイドピン設置時には、スタッドボルトのねじを傷つけないように慎重に作業しなければばらない。また、ガイドピン内面のねじにゴミ等を含んだ状態でガイドピンを回転させた場合、スタッドボルトの上部ねじを傷つける恐れがある。
本発明の課題は、上記問題を解決するためになされたもので、原子炉圧力容器の開放および閉鎖時に、安全かつ容易に作業が実施でき、かつ炉内構造物搬出入の際にスタッドボルトのねじ部との干渉を防いでねじ部を保護することである。
【課題を解決するための手段】
上記課題を解決するために、本発明のスタッドボルトねじ保護具は、原子炉圧力容器胴体上部の外周フランジに、該原子炉圧力容器上蓋の外周フランジを固定するために、鉛直に配置される複数のスタッドボルトのうち、前記上蓋の取り外し時に、いくつかのスタッドボルトにかぶせられ、該スタッドボルトの外周を覆う円筒と該スタッドボルトの頂部を覆う天井蓋とからなるキャップ状の保護具で、該スタッドボルト軸心に上端から下方に向けて形成されたスタッドボルトの伸び測定用穴に、前記天井蓋の外面よりプラグを装着して固定されることを特徴とするものである。
上記発明によれば、スタッドボルトねじ保護具を、保護具天井板の上からスタッドボルトの伸び測定用穴にプラグで固定するため、従来のスタッドボルトねじ保護具のように、圧力容器上蓋のない状態でスタッドボルトねじ保護具を取り外し、スタッドボルトにプラグを取り付けるというようなことがなくなり、スタッドボルトねじ保護具の取り付けと同時にスタッドボルトの伸び測定用穴にプラグが取り付けられるため、安全に作業が実施できる。
また、スタッドボルトねじ保護具を取り外さずにスタッドボルトの伸び測定用穴への異物混入を防ぐことができるため、上蓋開放中はスタッドボルトねじ保護具を取り付けたままでよく、炉内構造物を炉内から搬出入する際、炉内構造物との接触によるスタッドボルトねじ部への損傷を防止することができる。
また、本発明のガイドピンは、原子炉圧力容器胴体上部の外周フランジに、該原子炉圧力容器上蓋の外周フランジを固定するために、鉛直に配置される複数のスタッドボルトのうち、前記上蓋の取り外し時に、いくつかのスタッドボルトにかぶせられ、該スタッドボルトの外周を覆う円筒と、該円筒の上部を構成する円錐状ピンと、該円筒と該円錐状ピンを接続する接続板とからなるキャップ状のピンで、該スタッドボルト軸心に上端から下方に向けて形成されたスタッドボルトの伸び測定用穴に、前記接続板の上面より接続ボルトを装着して固定されることを特徴とするものである。
そして、前記接続ボルトは上端部に吊り下げ用のフックを有し、前記円錐状ピンの頂部の上から装着することができる。また、前記接続ボルトは、前記円錐状ピンの側面部に形成された開口部を介して前記接続板の上面でボルト頭部を固定され、該円錐状ピンの頂部に吊り下げ用のフックを有することを特徴とする。
上記構成のガイドピンによれば、従来のガイドピンのように、円筒部内面に、スタッドボルト外周面のねじと噛み合うようなねじを設ける必要がなくなり、スタッドボルト上面からガイドピンをかぶせた後、接続ボルトにてガイドピンとスタッドボルトを固定できる。
なお、これらのスタッドボルトねじ保護具やガイドピンは、前記上蓋を取り外す前に前記スタッドボルトに予め装着し、上蓋の開放および閉鎖作業を終了した後に、取り外すことができる。
【発明の実施の形態】
本発明の実施形態の概要は、原子炉圧力容器の定期検査時などに、圧力容器の胴体から上蓋を開放した後、胴体フランジに鉛直に設置されている複数のスタッドボルトのうち、一定数のスタッドボルト上部には、上蓋の位置決め用のガイドピンが装着され、残りのスタッドボルトにはキャップ形状の保護具がかぶせられる。
本発明のスタッドボルトねじ保護具（図１）やガイドピン（図８）は、従来のように円筒内面のねじでスタッドボルト外周面のねじに噛み合わせるのではなく、キャップ状円筒の頂部から天井蓋の外面からスタッドボルトの軸方向に形成された伸び測定用穴を利用し、これにプラグを装着して固定するようにしたので、スタッドボルト外周面のねじを傷つけることがない。
以下、本発明の一実施形態となるスタッドボルトねじ保護具を、図面を用いて説明する。このスタッドボルトねじ保護具は、原子炉圧力容器において、容器から上蓋を取り外しや取り付けを行う際に用いるものであり、定期検査期間中も取り付けたままにするものである。
図１は、本発明の一実施の形態となるスタッドボルトねじ保護具の構造図、図２は、図１のＡ−Ａ矢視図、図３は、原子炉圧力容器の胴体と上蓋とをスタッドボルトにより結合した状態を説明する図、図４は、胴体と上蓋とをスタッドボルトにより結合した部分を説明する図である。
沸騰水型原子炉の原子炉圧力容器は、一般に図３に示すように、上蓋１と胴体２を、スタッドボルト３およびナット４により一体に結合し、圧力容器全体を密閉する構造となっている。
上蓋１と胴体２の結合は、図４に示すように、胴体２上部の胴体フランジ２ａのねじ穴２ｂに上向きに固定されたスタッドボルト３を、上蓋１外周の上蓋フランジ１ａに形成された貫通穴１ｂに通し、上蓋フランジ１ａ上側でスタッドボルト３上部のねじ部３ｂにワッシャ５およびナット４を取り付けて、その締め付け力により上蓋１と胴体２を結合している。
スタッドボルト３は、胴体フランジ２ａのねじ穴２ｂに固定されたねじ部３ａと上蓋フランジ１ａの貫通穴１ｂを通るねじ部３ｂより一回り小さいシャンク部３ｃ、ナット４を取り付けるねじ部３ｂと、平行溝が形成された平行溝部３ｄとから構成される一体ものである。
また、スタッドボルト３は、その軸心にスタッドボルトの伸び測定用の穴を上端から下方に向けて有しており、この伸び測定用穴は、上蓋１を取り外す際にプラグ６により栓をして塞ぎ、中に異物が入るのを防止する。
図１に示すように、本発明の一実施の形態のスタッドボルトねじ保護具７は、スタッドボルト３上端に接するプラグ７ｅの取付ねじが貫通できる穴を設けた天井蓋７ａ付きの円筒７ｂと、天井蓋７ａ上に取り付けた取手７ｃ、その取手７ｃとワイヤ７ｄにて取り付けられたつば付きのプラグ７ｅとからなる。
プラグ７ｅは天上蓋７ａの外面より、スタッドボルト３の伸び計測用穴３ｅに取り付けるため、天井蓋７ａにはプラグ７ｅの取付ねじが貫通する穴を設けている。プラグ７ｅはねじ保護具７をスタッドボルト３から取り外す際、脱落したり、紛失したりすることのないように、ワイヤ７ｄにて取手７ｃと接続する。
ワイヤ７ｄは、図２に示すように、プラグ７ｅをスタッドボルト３に取り付けた後、ねじ保護具の円筒７ｂ外径より外側に出ると、上蓋１の取り外しや取り付けの際、上蓋１に形成された貫通穴１ｂ内面と接触し傷をつけてしまう恐れがあること、また、長すぎて何かに引っかかりやすくなるため、プラグ７ｅをスタッドボルト３から取り外すのに支障がなく、かつプラグ７ｅをスタッドボルト３に取り付けた後、スタッドボルトねじ保護具７の外径より内側になるような長さとする。
上述のとおり、本実施形態によれば、スタッドボルトねじ保護具は、胴体フランジに固定されたスタッドボルトを上蓋フランジの穴に貫通させ、ナット締めして胴体と上蓋を結合し、またスタッドボルト軸心にスタッドボルト伸び測定用の穴を形成された原子炉圧力容器から、上蓋を脱着する際にナットを外した状態でスタッドボルトにかぶせる円筒状の保護具であって、スタッドボルトの伸び測定用穴に、スタッドボルトねじ保護具天井蓋外面からプラグで取り付ける構造としたものである。
そのため、従来のスタッドボルトねじ保護具のように上蓋のない状態でスタッドボルトにプラグを取り付けるようなことはなく、上蓋の取り外し前にこの保護具をプラグと一緒にスタッドボルトに取り付けることができ、スタッドボルトとねじ保護具を固定できるため、上蓋を取り外した後も保護具をスタッドボルトに取り付けたままにできる。
したがって、スタッドボルトねじ保護具を取り付けたまま、スタッドボルトの伸び測定用穴に異物が混入されるのを防止し、かつ安全に作業が実施できる。さらに、ねじ保護具を定期検査中取り付けたままとするため、炉内構造物を検査のために炉内より搬出入する際にも、炉内構造物との干渉によるスタッドボルトねじ部の損傷を防止することができる。
次に、本実施形態のスタッドボルトねじ保護具による効果を説明する。本実施形態のスタッドボルトねじ保護具は、胴体フランジに固定されたスタッドボルトを上蓋フランジの穴に貫通させ、ナット締めして胴体と上蓋を結合し、またスタッドボルト軸心にスタッドボルト伸び測定用の穴を形成された原子炉圧力容器から、上蓋を脱着する際にナットを外した状態でスタッドボルトにかぶせる円筒状の保護具であって、スタッドボルトの伸び測定用穴に、スタッドボルトねじ保護具の天井蓋外面からプラグで取り付ける構造としたので、従来のスタッドボルトねじ保護具のように上蓋のない状態でスタッドボルトにプラグを取り付けるようなことがなくなった。
そのため、上蓋の取り外し前にこの保護具をプラグと一緒にスタッドボルトに取り付けることができ、スタッドボルトとねじ保護具を固定できるため、上蓋を取り外した後も保護具をスタッドボルトに取り付けたままにできる。
したがって、スタッドボルトねじ保護具を取り付けたまま、スタッドボルトの伸び測定用穴に異物が混入されるのを防止し、かつ安全に作業が実施できる。さらに、ねじ保護具を定期検査中取り付けたままとするため、炉内構造物を検査のために炉内より搬出入する際にも、炉内構造物との干渉によるスタッドボルトねじ部の損傷を防止することができる。
次に、本発明のガイドピンの一実施形態について図面を用いて説明する。図８は、本発明の一実施形態となる原子炉圧力容器の胴体と上蓋をスタッドボルトにより結合した状態のガイドピンの構造図、図９は本発明の他の実施形態となるガイドピンの構造図である。原子炉圧力容器の上蓋と胴体とのスタッドボルトによる結合構造については、図３および図４によりすでに説明したので、ここでは説明を省略する。
本発明の一実施形態のガイドピンは、図８に示すように、スタッドボルトの上部に位置する円錐状のピン１２ａと、スタッドボルト３の上部ねじ３ｂの外周を覆う円筒１２ｂと、ピン１２ａと円筒１２ｂとを接続する接続板１２ｃ、ガイドピン１２とスタッドボルト３を接続する接続ボルト１２ｄなどからなる。
接続ボルト１２ｄは、スタッドボルト３の頂部中心に設けたプラグねじ３ｆと取合い、ガイドピン１２をスタッドボルト３頂部から設置した後、ピン１２ａの頂部中央に設けた穴１２ｇより挿入して、スタッドボルト３頂部のプラグねじ３ｆにねじ込むことより、ガイドピン１２とスタドボルト３とを固定する。
円筒１２ｂは内面にねじを設けていないため、容易に、かつ、短時間でガイドピン１２をスタッドボルト３に設置することができ、スタッドボルト３の上部ねじ３ｂを傷つける恐れもない。
また、接続板１２ｃの中央にも接続ボルト１２ｄと取合うねじ１２ｈを設けている。このねじ１２ｈを設けることより、スタッドボルト３から接続ボルト１２ｄを外した場合でも接続ボルト１２ｄはガイドピン１２から抜けないため、ねじ１２ｈはストッパーの機能を有する。
また、このボルト１２ｄの先端には、ガイドピン１２を吊るためにフック１２ｉを設けており、ガイドピン１２を吊る機能も有している。また、接続ボルト１２ｄには、ねじ１２ｏがプラグ１２ｈ内に必要以上入りこまないように、ねじ上部にツバ１２ｅを設けている。
次に、上記のように構成された圧力容器から上蓋を取り外す作業について説明する。まず、スタッドボルトテンショナ等でスタッドボルト３全層の締め付け力が開放され、ナット４が緩んだ状態となり、ナット４およびワッシャ５が全数スタッドボルト３から外される。
それから、供用期間中検査（ＩＳＩ）等に使用されるスタッドボルト３が抜き取られ、残ったスタッドボルト３には頂部にプラグ１３を全数取り付ける。これらのスタッドボルト３の内、円周方向均等になるように２〜３本のガイドピン１２を取付け、その他のスタッドボルト３にはねじ保護具７を装着する。この状態で、上蓋１を天井クレーンで吊り上げ、その後ガイドピン１２およびねじ保護具７を取り外して一連の開放作業が終了する。
上蓋の取り付け作業は、取り外し作業と逆の手順で実施されるが、上蓋１の貫通穴１ｂをスタッドボルト３に挿入する際には、ガイドピン１２で上蓋１の位置決めを行うとともに、多数のスタッドボルト３を同時に挿入するため、より細心の注意が必要となる。このとき、ガイドピン１２は接続ボルト１２ｄでずれないよう位置決めされているとともに、スタッドボルト３と芯が一致しているため、貫通穴１ｂにスタッドボルト３をスムーズに挿入することができる。
次に、本発明の他の実施形態となるガイドピンについて、図９により説明する。このガイドピンは、ガイドピン１２とスタッドボルト３を接続させる機能のみを持った接続ボルト１２ｄとし、この接続ボルト１２ｄをスタッドボルト３に設置するために、ピン１２ａの側面に窓１２ｊを設けた構造である。なお、ガイドピンを吊るためのフック１２ｉは、新たにピン１２ａの頂部に設けている。
また、上記実施形態のガイドピンは、胴体フランジに固定されたスタッドボルトを上蓋フランジの穴に貫通させ、ナットを締めて胴体と上蓋を結合し、またスタッドボルト軸心にスタッドボルト伸び測定用の穴を形成された原子炉圧力容器から、上蓋を脱着する際にナットを外した状態でスタッドボルトにかぶせる円筒状のガイドピンであって、円錐形状のピンとスタッドボルトのねじを保護する円筒を接続する接続板に、スタッドボルト伸び測定用に同心円的に装着する接続ボルトを設置したので、従来のように、スタッドボルトとガイドピンを固定するための円筒内面にスタッドボルトと取合うねじを設ける必要はないため、構造が簡略化され、製作が容易である。また、スタッドボルトのねじと取合いがないため、ガイドピン設置時にスタッドボルトのねじを傷付ける恐れがない。
ここで、ねじ保護具およびガイドピンの参考例を、図面により概説する。図５に示すように、上蓋の取外し時には、２〜３本のスタッドボルトに上蓋の位置決めのためのガイドピン８が取り付けられ、その他のスタッドボルトにはスタッドボルト上部のねじ部の保護のために、ねじ保護具７が取り付けられる。
本例のねじ保護具７は、図６に示すように、スタッドボルト上部をすっぽり覆う天井蓋付きの円筒から構成されており、スタッドボルトにかぶせるだけのため、上蓋取り外し時に何らかの外力が加わると、上蓋と一緒に吊り上げられて外れてしまう可能性があった。
また、定期検査作業では上蓋取り外し後はガイドピン８およびねじ保護具７を取り外し、定期検査期間中にスタッドボルトの伸びを測定するために、スタッドボルト軸心に上端面から形成された伸び測定用穴に異物が侵入しないように頂部中央にプラグが取り付けられるが、定期検査中はねじ保護具７が取り付いていない状態であり、炉内の点検のため、炉内構造物を炉内から搬出入する際、スタッドボルトと干渉し、ねじ部を傷つける恐れがある。
また、ガイドピン１２は、図１０に示すように、スタッドボルト３の上部ねじ３ｂを覆い、上部が円錐形状であるピン１２ａと薄肉の円筒１２ｂから構成されており、該円筒１２ｂの内面にはスタッドボルトの上部ねじ３ｂとかみあうためにねじ１２ｏを設けている。
このピン１２ａは、円筒１２ｂと溶接で接続されており、ガイドピン１２をスタッドボルト３にねじこませて固定させる。このときにピン１２ａにはハンドル１２ｆを差し込み、ハンドル１２ｆを回転させることによってガイドピン１２をスタッドボルト３にねじ込む。ガイドピン１２をスタッドボルト３に設置した後、ハンドル１２ｆは取り除かれる。また、ガイドピン１２の高さは各々異なり、上蓋の閉鎖作業時に上蓋の位置決めを行いやすいようにしている。
【発明の効果】
以上説明したように、本発明のねじ保護具およびガイドピンは、従来のように、スタッドボルトとガイドピンを固定するための円筒内面のスタッドボルト取合用のねじを設ける必要がないので、構造が簡略化され、製作が容易である。また、ガイドピン設置時にスタッドボルトのねじを傷付ける恐れがない。
したがって、原子炉圧力容器の開放および閉鎖時に、安全に作業が実施でき、かつ炉内構造物搬出入の際にスタッドボルトのねじ部との干渉を防ぎ、ねじ部を保護できるスタッドボルトねじ保護具およびガイドピンを提供できる。
【図面の簡単な説明】
【図１】本発明の一実施形態となるスタッドボルトねじ保護具の構成を示す縦断面図。
【図２】本発明の実施形態となるスタッドボルトねじ保護具を上から見た図で、図１のＡ−Ａ矢視図。
【図３】原子炉圧力容器の胴体と上蓋をスタッドボルトにより結合した状態を説明する図。
【図４】原子炉圧力容器の胴体と上蓋をスタッドボルトにより結合した詳細部分を説明する図。
【図５】原子炉圧力容器かの胴体から上蓋を取り外しおよび取り付け時に用いるガイドピンを示す図。
【図６】スタッドボルトねじ保護具の一参考例の構成を示す図。
【図７】スタッドボルトねじ保護具の一参考例の上部構造を示す詳細図。
【図８】本発明のガイドピンの一実施形態の構成を示す縦断面図。
【図９】本発明のガイドピンの他の実施形態の構成を示す側面図。
【図１０】ガイドピンの一参考例の構成を示す図。
【符号の説明】
１　圧力容器の上蓋
１ａ　上蓋フランジ
１ｂ　上蓋フランジ貫通穴
２　圧力容器の胴体
２ａ　胴体フランジ
２ｂ　ねじ穴
３　スタッドボルト
３ａ　下部ねじ
３ｂ　上部ねじ
３ｃ　シャンク部
３ｄ　平行溝部
３ｅ　伸び測定用穴
３ｆ　プラグ
４　ナット
５　ワッシャ
６　プラグ
７　スタッドボルトねじ保護具
７ａ　天井蓋
７ｂ　円筒
７ｃ　取っ手
７ｄ　ワイヤ
７ｅ　つば付きプラグ
８　ガイドキャップ　ガイドピン
７　スタッドボルトねじ保護具
１２　ガイドピン
１２ａ　ピン
１２ｂ　円筒
１２ｃ　接続板
１２ｄ　接続ボルト
１２ｅ　ツバ
１２ｆ　ハンドル
１２ｇ　穴
１２ｈ　ねじ
１２ｉ　フック
１２ｊ　窓
１２ｏ　ねじ
１３　プラグ
【図１】
2004045130.tif 000003
【図２】
2004045130.tif 000004
【図３】
2004045130.tif 000005
【図４】
2004045130.tif 000006
【図５】
2004045130.tif 000007
【図６】
2004045130.tif 000008
【図７】
2004045130.tif 000009
【図８】
2004045130.tif 000010
【図９】
2004045130.tif 000011
【図１０】
2004045130.tif 000012